(57)【特許請求の範囲】
【請求項１】
個人データ作成者の画像と、該個人データ作成者の画像に付随する補助情報とを含む個人データを入力するための入力手段と、上記個人データを出力する出力手段と、入力手段とからなる端末と、
記憶装置および通信手段を含み、複数の上記端末と接続され、複数の上記端末からの上記個人データを受け取り、複数の上記端末に対して上記個人データを送るゲートウェイと、
上記ゲートウェイからの上記個人データを受信し、上記ゲートウェイに対して上記個人データを配信し、上記個人データを管理するサーバーと、
複数の上記ゲートウェイと上記サーバーとの間を結合する双方向通信手段とからなり、  上記サーバーおよび上記双方向通信手段を使用して、上記ゲートウェイを介して上記端末間で、上記個人データを電子的に交換する個人データ交換システムであって、
デジタル放送を用いて上記端末に対して上記個人データの配信を行うようになされ、
上記個人データの入力を完了すると、個人データの検索等の際にサービスの全利用者が使用することのでき、各個人データに対して付加されるデータＩＤと、個人データ作成者のみが知ることができ、特定のサービスの利用のために使用するパスワードが発行され、  上記補助情報によって、交換を希望する個人データ作成者が選択され、
個人データ交換希望者が選択した個人データ作成者に対して、メッセージと上記個人データ交換希望者の持つデータＩＤを送信し、
上記メッセージを受け取った上記個人データ作成者は、データＩＤとパスワードを入力することによって、上記メッセージ表示し、
上記メッセージを表示させてから、上記個人データ作成者が上記個人データ交換希望者のデータＩＤに対する印刷許可の許可情報を発行し、
上記許可情報が発行された個人データの付加情報として、上記許可情報が上記サーバーに記録され、
上記個人データ交換希望者が上記個人データを印刷する場合、上記個人データ交換希望者のデータＩＤがその個人データに付加される上記許可情報中に含まれる場合にのみ、印刷可能とすることを特徴とする個人データ交換システム。
【請求項２】
請求項１において、
上記個人データは、さらに、上記個人データ作成者が作成し、上記端末以外の入力装置において入力された詳細情報とを有することを特徴とするシステム。
【請求項３】
請求項１において、
上記個人データは、個人データ作成者の画像に付随し、上記個人データ作成者により入力された複数種類の補助情報を含み、
上記補助情報を表示することによって、交換を希望する個人データを検索するための検索情報が提供され、
上記複数種類の補助情報の中で、表示する種類の補助情報を選択可能とすることを特徴とする端末システム。
【請求項４】
請求項１において、
上記補助情報が音声メッセージ、動画メッセージ、文字メッセージおよび複数の定型メッセージから選択されたものの内の少なくとも一つであることを特徴とするシステム。
【請求項５】
請求項１において、
上記個人データは、個人データ作成者の画像に付随する補助情報として、音声メッセージまたは上記動画メッセージを有し、
上記音声メッセージまたは上記動画メッセージを入力する時に、入力開始のタイミングの明示を表示することを特徴とするシステム。
【請求項６】
請求項１において、
上記個人データは、個人データ作成者の画像に付随する補助情報として、文字メッセージを有し、
上記文字メッセージを入力する時に、２桁の数字に対して文字を割り当て、数字キーのみによって入力を可能とすることを特徴とするシステム。
【請求項７】
請求項１において、
個人データ作成日からの経過日数により変化するデータを、端末または端末システムで表示することを特徴とするシステム。
【請求項８】
請求項１において、
個人データ作成者に対する上記個人データ交換希望者からのメッセージがサーバーに保存された際に、上記個人データ作成者が端末を使用中の場合に、メッセージが登録されたことをリアルタイムに上記個人データ作成者に通知することを特徴とするシステム。
【請求項９】
請求項１において、
上記許可情報が発行された個人データの付加情報として、上記許可情報がサーバーに記録され、
個人データ交換希望者が個人データを印刷する場合、上記個人データ交換希望者のデータＩＤがその個人データに付加される許可情報中に含まれる場合にのみ、印刷可能とすることを特徴とするシステム。
【請求項１０】
請求項１において、
端末により入力された個人データを上記ゲートウェイが一定の周期ごとにまとめてサーバーに送信することを特徴とするシステム。
【請求項１１】
請求項１において、
サーバーに保存された最新の個人データを上記端末またはゲートウェイに対して予め送信しておくことを特徴とするシステム。
【発明の詳細な説明】
【０００１】
【発明の属する技術分野】
この発明は、顔画像のような個人データを電子的に交換可能な個人データ交換システムに関する。
【０００２】
【従来の技術】
カメラで撮影した顔画像をシールとして印刷することができる撮影／出力装置が出現し、人気を博しており、「プリント倶楽部」なる用語も流行している。より具体的には、１人、数人を撮像した画像を１枚のシール紙に分割画像（例えば３cm×２cmのサイズ）としてして印刷するものである。このようにして得た写真は、個人で使用するのにとどまらず、友人に渡したり、交換したりする用途に供されている。
【０００３】
【発明が解決しようとする課題】
既存の撮影／出力装置は、１回の撮影で得られるシールの枚数が限られ、また、友人にシールを手渡したり、郵送する程度であったため、シールを交換する範囲が限られていた。
【０００４】
従って、この発明の目的は、顔画像等の個人データを電子的に交換することによって、個人データを交換する相手の範囲をより拡げることが可能な個人データ交換システムを提供することにある。
【０００５】
この発明の他の目的は、多量の個人データを多数の加入者に対して高速で配信でき、また、端末において、個人データの交換のための操作性が向上することが可能な個人データ交換システムを提供することにある。
【０００６】
この発明のさらに他の目的は、多数の端末をまとめるゲートウェイを設けることによって、端末の管理を容易とし、端末のハードウェアの規模を削減することが可能な個人データ交換システムを提供することにある。
【０００７】
【課題を解決するための手段】
かかる課題を解決するため、請求項１の発明は、個人データ作成者の画像と、該個人データ作成者の画像に付随する補助情報とを含む個人データを入力するための入力手段と、個人データを出力する出力手段と、入力手段とからなる端末と、
記憶装置および通信手段を含み、複数の端末と接続され、複数の端末からの個人データを受け取り、複数の端末に対して個人データを送るゲートウェイと、
ゲートウェイからの個人データを受信し、ゲートウェイに対して個人データを配信し、個人データを管理するサーバーと、
複数のゲートウェイとサーバーとの間を結合する双方向通信手段とからなり、
サーバーおよび双方向通信手段を使用して、ゲートウェイを介して端末間で、個人データを電子的に交換する個人データ交換システムであって、
デジタル放送を用いて端末に対して個人データの配信を行うようになされ、
個人データの入力を完了すると、個人データの検索等の際にサービスの全利用者が使用することのでき、各個人データに対して付加されるデータＩＤと、個人データ作成者のみが知ることができ、特定のサービスの利用のために使用するパスワードが発行され、
補助情報によって、交換を希望する個人データ作成者が選択され、
個人データ交換希望者が選択した個人データ作成者に対して、メッセージと個人データ交換希望者の持つデータＩＤを送信し、
メッセージを受け取った個人データ作成者は、データＩＤとパスワードを入力することによって、メッセージ表示し、
メッセージを表示させてから、個人データ作成者が個人データ交換希望者のデータＩＤに対する印刷許可の許可情報を発行し、
許可情報が発行された個人データの付加情報として、許可情報がサーバーに記録され、
個人データ交換希望者が個人データを印刷する場合、個人データ交換希望者のデータＩＤがその個人データに付加される許可情報中に含まれる場合にのみ、印刷可能とすることを特徴とする個人データ交換システムである。
【００１１】
個人データ作成者の顔画像等の個人データをサーバーおよび通信路を介して相互に交換することができる。サーバーから端末への通信路として、ディジタル放送が利用され、短時間で、大量のデータを多数の端末に対して配信することができる。一方、端末からサーバーに対して、入力した個人データ、種々の要求を送信する。これらの情報量は、一回の操作では、それほど多くないので、公衆電話回線等を通じて送信する。また、サーバーからは、個人データの検索用のデータ等が端末に対して送信される。このように、ディジタル放送と電話回線とを送信／受信されるデータの量等に応じて設定する。
【００１２】
個人データとしては、単に顔画像のような静止画像以外に種々の補助情報を付随させる。この補助情報を利用して、サーバーの利用者は、希望する個人データの検索を高速に行うことができる。また、補助情報により、個人データの内容を豊富とすることができる。
【００１３】
【発明の実施の形態】
以下、この発明の実施の一形態について図面を参照して説明する。まず、実施の一形態のシステムの概略を図１を参照して説明する。ここでは、既存の通信カラオケのカラオケ端末および既存のＣＳデジタル放送用ＩＲＤを流用して、データ放送を利用したカラオケデータ・個人データなどの受信を行うものとしている。すなわち、既に構築されている通信カラオケシステムに対して、個人データ交換の機能を新たに付加する。従って、端末は、カラオケ端末の機能と、シール交換用端末の機能とを有する。
【００１４】
図１において、１がデータ送信センタを示す。データ送信センタ１は、カラオケデータ（ＭＩＤＩデータ・歌曲付加データ・制御データ等）、個人データ（シールデータ・付加情報・詳細情報等）、広告・各種情報データなどを送信する。ＭＩＤＩ(Musical Instrument Digital Interface)は、楽器制御用のコードである。
【００１５】
データ送信センタ１からのデータは、放送（アップリンク）センタ２に送られる。放送センタ２は、デジタル放送の送出センタである。放送センタ２は、データ送信センタ１から送られたデータを多重化・変調し、通信（または放送）衛星３に対して送信する。衛星３からの電波が端末の受信アンテナ４により受信される。
【００１６】
受信アンテナ４に対してＩＲＤ(Integrated Receiver/Decoder) ５が接続される。ＩＲＤ５に対してシール交換端末６およびカラオケ端末７が接続される。これらの受信アンテナ４、ＩＲＤ５、シール交換端末６およびカラオケ端末７によって、端末側が構成される。また、８は、公衆電話回線網を示し、９がインターネット接続業者を示す。インターネット接続業者９は、個人データ交換システムにおけるサーバーとしての機能を有する。
【００１７】
ＩＲＤ５は、 デジタル放送受信用チューナであり、放送センタ２から衛星３を介して送信されたデータを受信する。このシステムにおいては、常に、本サービス（カラオケデータおよび個人データの送信・受信）を受けるようにチャンネル設定されている。ＩＲＤ５は、本サービスのＭＰＥＧ２トランスポートストリームパケットのみデスクランブルしたデータをシール交換端末６に対して送信する。また、デジタル放送受信に関して、公衆電話回線網８を通じて放送センタ２と課金情報の通信を行う。
【００１８】
シール交換端末６は、シールデータ交換システムで行われるサービスを使用者に提供する端末である。ＩＲＤ５から受信したデータから本サービスのデータのみを分離し、さらにカラオケデータとその他のデータを分離してカラオケデータのみをカラオケ端末７に送信する。また、シール交換端末使用者の要求などにより、個人データなどの各種データに関する送信要求を、公衆電話回線網８を通じインターネット接続業者９に対して行う。
【００１９】
カラオケ端末７は、従来の通信カラオケ端末であり、ＭＩＤＩデータの再生・歌詞の表示制御・音響特殊効果などを行う。カラオケデータの送信要求は、公衆電話回線網８を通じてデータ送信センタ１に対して行われる。データ送信センタ１から送信されたデータは、シール交換端末６からカラオケ端末７に送信される。
【００２０】
公衆電話回線網８は、ＮＴＴのアナログ／デジタル電話回線網などである。インターネット接続業者９は、シール交換端末６で作成された個人データが公衆電話回線網８を介して受け取り保存する。また、同様の経路で個人データ送信要求が行われる。
【００２１】
上述したように、カラオケデータの送信要求は、カラオケ端末７が行い、個人データの要求は、シール交換端末６が行う。カラオケデータは、データ送信センタ１内にあり、放送センタ２、衛星３を介してディジタル放送と同様に配信される。シールデータ等の個人データも同様に配信される。個人データは、インターネット接続業者（サーバー）９からデータ送信センタ１を介して送信される。また、各データの利用に関して、シール交換端末６およびカラオケ端末７とデータ送信センタ１とを公衆電話回線網８で接続して課金情報の通信を行う。さらに、ＩＲＤ５と放送センタ２とが公衆電話回線網８を介して接続されており、データ（ディジタル放送）受信に関する課金情報の通信を行う。
【００２２】
図２は、端末の一構成例を示す。受信アンテナ４は、例えばＣＳデジタル放送受信用アンテナであり、ＩＲＤ５は、ＣＳデジタル放送受信用ＩＲＤである。 ＩＲＤ５は、常に本サービスを受信するようにし、受信されたＭＰＥＧ２トランスポートストリームパケットの中で、本サービスのパケットのみデスクランブルして、データポートからトランスポートストリームを出力する。また、図１に示すように、ＩＲＤ５は、公衆電話回線網８に接続される。
【００２３】
ＩＲＤ５にシール交換端末６が接続される。シール交換端末６には、プリンタ１８、カメラ１９、歌詞表示用モニタ１０、スピーカ１１、キー、マウス等の入力装置１３、モニタ１４およびヘッドホン１５が接続される。また、シール交換端末６と接続されたカラオケ端末７には、マイクロホン１２が接続され、この端末７がリモコンのコマンダ１６により操作可能とされる。
【００２４】
プリンタ１８は、シール交換端末６で作成したシールデータおよび他者と交換したシールデータを印刷する。ここで、シールデータは、個人データに含まれる画像データ（典型的には顔画像データ）を意味する。シール交換端末６のシリアル出力端子にプリンタ１８が接続される。
【００２５】
カメラ１９は、シール交換端末６でシールデータを作成するために使用され、シール交換端末６のシリアル出力端子に接続される。歌詞表示用モニタ１０は、カラオケ時の歌詞・背景映像の表示、およびシールデータ作成時の画像モニタ・付加情報入力画面の表示用として使用する。カラオケ時とシールデータ作成時で切り替え可能なように、シール交換端末６のビデオ出力端子に接続される。つまり、シール交換端末６内部のセレクタでモニタ１０に対するビデオ出力が切り替えられる。スピーカー１１は、歌曲および個人データの音声メッセージを再生する。シール交換端末６のオーディオ出力端子に接続される。
【００２６】
マイクロホン１２は、カラオケ歌唱用および個人データの音声メッセージの入力に使用する。音声信号は、カラオケ端末７のオーディオ出力端子からシール交換端末６を介してスピーカー１１に出力される。また、音声付加情報の入力の際には、シール交換端末６で音声付加情報がサンプリング・圧縮される。
【００２７】
シール交換端末６は、本サービスのうちカラオケ以外のすべてのサービスの処理を行う。図１に示すように、シール交換端末６がデータ送信要求を行うために、公衆電話回線網８を介してインターネット接続業者（サーバー）に対して双方向通信が可能なように接続されている。
【００２８】
カラオケサービスに関しては、ＩＲＤ５から受け取ったトランスポートストリームのパケットからカラオケデータのみを取り出して、カラオケ端末７に出力するとともに、ビデオ・オーディオ信号を受けて歌詞表示用モニタ１０、スピーカー１１に出力する。
【００２９】
シールデータの作成に関しては、ＩＲＤ５から受け取ったシールデータ関連データ、カメラ１９からの映像入力、入力装置１３からのユーザーのコマンド入力などからシールデータおよび補助情報を作成し、公衆電話回線に接続してサーバーに保存する。
【００３０】
シールデータの表示に関しては、ディジタル放送で配信され、ＩＲＤ５から受け取ったシールデータ、補助情報などを個人データ表示用モニタ１４、ヘッドフォン１５で視聴することができる。その際のユーザーからのコマンド入力は、入力装置１３を用いて行われる。入力装置１３は、本サービスのうちカラオケ以外のユーザーからのコマンド入力のすべてを受け持つ。シール交換端末６のシリアル入力端子に接続される。
【００３１】
個人データ表示用モニタ１４は、カラオケ中に歌唱者以外がシールデータの閲覧を行うためなどに使用する。シール交換端末６のビデオ・オーディオ出力端子に接続される。また、シールデータの閲覧などの際のユーザーからのコマンドの入力は、入力装置１３を使用する。
【００３２】
ヘッドフォン１５は、カラオケ中に歌唱者以外がシールデータの閲覧を行う際に、付加情報の音声メッセージを再生して聴くために使用する。個人データ表示用モニタ１４のヘッドフォン端子に接続する。
【００３３】
カラオケ端末７は、既存のカラオケ端末をそのまま使用する。シール交換端末６からカラオケデータを受信し、ビデオ・オーディオ信号を出力する。また、図１に示すように、通信カラオケ用の歌曲データなどのデータ送信要求を行うために公衆電話回線網８に接続されている。カラオケ用リモコン１６は、既存のカラオケ用選曲リモコンを使用する。リモコン１６がカラオケ端末７に赤外線信号を送信する。
【００３４】
上述したように、端末において、歌詞表示用モニタ１０、スピーカ１１、マイクロホン１２、リモコン１６は、既存のカラオケ端末に設備されているものを流用することができる。
【００３５】
図２に示す端末は、ＩＲＤ５、シール交換端末６およびカラオケ端末７が１台ずつ備えたものである。実際には、カラオケの店の中に、複数の部屋があり、各部屋に端末を設置することも多い。そのような場合では、図３において、５０で示す制御部（ゲートウェイと称する）によって、複数のシール交換端末６ａ、６ｂ、６ｃおよびカラオケ端末７ａ、７ｂ、７ｃをまとめて制御することが適切である。ゲートウェイ５０とシール交換端末６ａ〜６ｃとの間がネットワークで結合され、各シール交換端末に対してカラオケ端末７ａ〜７ｃがそれぞれ接続される。
【００３６】
このように、ゲートウェイ５０によって、シール交換端末が行うＩＲＤからの受信・インターネット接続業者への発呼などの処理をまとめ、それによりシステムの簡素化・通信料の削減などが可能となる。図３では、シール交換端末６ａ〜６ｃおよびカラオケ端末７ａ〜７ｃに対して図２に示すようにそれぞれ接続される、プリンタ、カメラ、歌詞表示用モニタ、スピーカー、マイク、入力装置、個人データ表示用モニタ、ヘッドフォン、カラオケ端末用リモコンの図示が省略されている。
【００３７】
ゲートウェイ５０は、ＩＲＤ５から受け取ったパケットのうちカラオケデータと個人データをネットワークを介してシール交換端末６ａ〜６ｃに対して送信する。図３では示されていないが、ゲートウェイ５０は、個人データのサーバーへの登録、個人データ交換サービスのデータ送信要求を行うために公衆電話回線網に接続されており、各シール交換端末からの要求をもとに処理を行う。
【００３８】
シール交換端末６ａ〜６ｃは、本サービスのうちカラオケ以外のすべてのサービスの処理を行う。カラオケサービスに関しては、ゲートウェイ５０から受け取ったデータからカラオケデータのみを取り出してカラオケ端末７ａ〜７ｃに出力するとともに、ビデオ・オーディオ信号を受けて歌詞表示用モニタ／スピーカーに出力する。
【００３９】
個人データの作成に関しては、ゲートウェイ５０から受け取ったデータから個人データのみを取り出して個人データ関連データ、カメラからの映像入力、入力装置からのユーザーのコマンド入力などからシールデータおよび付加情報を作成し、ゲートウェイ５０に対してデータ保存要求を行いデータを転送する。
【００４０】
シールデータの表示に関しては、ゲートウェイ５０から受け取ったシールデータ、付加情報などを個人データ表示用モニタ、ヘッドフォンで視聴することができる。その際のユーザーからのコマンド入力は入力装置を用いて行われる。
【００４１】
カラオケ端末７ａ〜７ｄは、既存の通信カラオケ端末である。シール交換端末６ａ〜６ｃからカラオケデータを受信し、ビデオ・オーディオ信号を出力する。また、通信カラオケ用の歌曲データなどのデータ送信要求がゲートウェイ５０、公衆電話回線網を介して送信される。
【００４２】
図２に示すシール交換端末６、図３に示すシール交換端末６ａ〜６ｃは、一例として図４に示す構成を有している。図４おいて、２１で示す入力端子（ポート）にＩＲＤ５またはゲートウェイ５０からＭＰＥＧ２トランスポートストリームが供給され、このストリームがデータコンバータ２２に供給される。データコンバータ２２は、バス２３を介して入力データをプログラマブルＤＳＰ２７に渡す。
【００４３】
データコンバータ２２、プリンタコントローラ２３、ハードディスク２６、プログラマブルＤＳＰ２７は、同一のバス２３上にあるため、バス２３が空いている場合のみデータを転送するようにバッファ機能を有する。プリンタコントローラは、外部のプリンタを制御して、プログラマブルＤＳＰ２７から渡されたデータをプリンタに出力する。ハードディスク２６は、トランスポートストリームのバッファリング、データの保存などを行う。
【００４４】
プログラマブルＤＳＰ２７は、ＭＰＥＧ２のトランスポートストリームのデマルチプレクス、デコード、システム制御などの処理を行う。例えばプログラマブルＤＳＰ２７は、ＲＩＳＣ  ＣＰＵとＤＳＰとからなり、ＣＰＵ部およびＤＳＰ制御部のプログラムは外部から変更可能とされている。
【００４５】
プログラマブルＤＳＰ２７と接続されたシリアルコントローラ２９は、端子３０および３１を有し、また、モデム３２がシリアルコントローラ２９に対して接続される。モデム３２は、端子３３を通じて公衆電話回線網８と接続される。端子３０を通じてユーザが使用する入力装置１３が接続され、端子３１を介してカメラ１９が接続される。シリアルコントローラ２９は、モデム３２およびカメラ１９を制御し、また、モデム３２からのデータおよびカメラ１９からのデータをプログラマブルＤＳＰ２７に出力する。プログラマブルＤＳＰ２７からの送信データは、シリアルコントローラ２９およびモデム３２を介して端子３２から公衆電話回線網８に出力される。
【００４６】
プログラマブルＤＳＰ２７から端子３４を介してカラオケ端子に対してカラオケデータが送出される。プログラマブルＤＳＰ２７と接続されたＲＡＭ２８は、トランスポートストリームのバッファリング、トランスポートストリームのデコード時のバッファ、表示データの格納などに使用される。
【００４７】
プログラマブルＤＳＰ２７でデコードされた画像データは、ビデオエンコーダ３５に供給される。ビデオエンコーダ３５は、プログラマブルＤＳＰ２７から出力された画像データをＤ／Ａ変換してスイッチャ３６に出力する。プログラマブルＤＳＰ２７に接続されたオーディオＡＤ／ＤＡ部３８は、プログラマブルＤＳＰ２７からの音声データをＤ／Ａ変換してスイッチャ３６に出力し、また、スイッチャ３６からの音声信号をＡ／Ｄ変換してプログラマブルＤＳＰ２７に出力する。
【００４８】
スイッチャ３６は、プログラマブルＤＳＰ２７からの制御信号によって切り換えられる。スイッチャ３６は、アナログビデオ／音声信号の出力端子３７、アナログビデオ／音声信号の出力端子３９、およびカラオケ端末からの音声信号入力端子４０を有している。一方の出力端子３７からのビデオ／音声信号が歌詞表示用モニタ、スピーカーに供給され、他方の出力端子３９からのビデオ／音声信号が個人データ表示用モニタに供給される。
【００４９】
ゲートウェイ５０は、一例として図５に示す構成とされている。ＩＲＤ５からのトランスポートストリームが入力端子５１を通じてデータコンバータ５２に供給される。ゲートウェイ５０の全体を制御するためにＣＰＵ５５が設けられる。このＣＰＵ５５の指示により、データコンバータ５２は、ＣＰＵ５５を経由してトランスポートストリームをハードディスク５４またはＲＡＭ５６に渡す。ＲＡＭ５６は、ＣＰＵ５５が使用し、プログラム、データの格納などに使用される。ハードディスク５４は、トランスポートストリームのバッファリング、データの保存などを行う。
【００５０】
ＣＰＵ５５に対してモデム５９が接続される。モデム５９は、端子６０を通じて外部の公衆電話回線網に接続され、ＣＰＵ５５が外部との通信を行う。ネットワークＩ／Ｆ（インターフェース）５７は、端子５８を介してネットワークと接続される。このネットワークに対して複数のシール交換端末６ａ〜６ｃが図３に示すように接続されている。ネットワークＩ／Ｆ５７は、ＣＰＵ５５の指示により外部のシール交換端末との通信を行う。データコンバータ５２、ハードディスク５４、ＣＰＵ５５、ネットワークＩ／Ｆ５７は、同一のバス５３上にあるため、バスが空いている場合のみデータを転送するようにバッファ機能を有する。
【００５１】
ゲートウェイ５０に対して接続されるシール交換端末６ａ〜６ｃは、図４に示すものと同様の構成を有している。但し、データ入力端子２１には、ネットワークを介してゲートウェイ５０からのトランスポートストリームが供給される。
【００５２】
上述したシールデータ交換システムの処理について、フローチャートおよび画面表示を参照して説明する。画面表示は、図２の端末の構成の個人データ表示用モニタ１４に表示されるものである。また、端末におけるユーザの入力は、入力装置１３を使用してなされる。図６、図７および図８は、個人データの入力、検索等の処理を示すフローチャートであり、これらの図は、一連の処理であるが、作図領域の制約上、分割して示すものである。
【００５３】
また、この発明の実施の一形態では、個人データは、図１２に示すように、シールデータ、補助情報、詳細情報からなる。シールデータは、主として顔画像のような画像データである。補助情報は、シールデータに関連する氏名、文字メッセージ、音声メッセージ等の情報である。図示してないが、動画データを補助情報として個人データに付随させることもできる。詳細情報は、より詳細な情報であり、詳細情報の入力は、後述するように、端末装置では、行わずに、別の入力方法でなされる。
【００５４】
図６におけるステップＳ１では、端末のプログラマブルＤＳＰ２７がＲＡＭ２８上にログイン画面イメージを生成し、ビデオエンコーダ３５を介してモニタ１４にログイン画面イメージを表示させることにより、個人データのデータＩＤおよびパスワードの入力を利用者へ促す。ユーザは、入力装置１３を操作し、発行済みのデータＩＤおよびパスワードを入力し、シリアルポート２９を介してＲＡＭ２８上へ記録される。
【００５５】
既にデータＩＤを持っている利用者には、入力装置からデータＩＤおよびパスワードを入力させるが、始めての利用者の為にデータＩＤおよびパスワード入力なしで、確認ボタンを押下げ（クリック、選択）させステップＳ２へ進むこともできる。若し、データＩＤおよびパスワードを入力しなかった場合、個人データの作成を行ない利用者にデータＩＤおよびパスワードが発行されなければ、メッセージの送信等の機能を利用することはできない。
【００５６】
入力されたデータＩＤおよびパスワードはＲＡＭ２８上に記憶されると同時に、シリアルコントローラ２９、モデム３２、公衆電話回線網８を介して、現在その端末を利用してる人のＩＤとして端末のユニークなＩＤと共にインターネット接続業者９（以下、単にサーバーと称する）へ送信、通知される。それによって、現在その端末を使っている人に対して、他の利用者からメッセージが送られた場合、利用中にメッセージの到来の通知を表示することが可能となる。
【００５７】
センタ１でデータＩＤとパスワードが認証されない場合、すなわち、入力されたものが間違ったあるいは不当なパスワードであった場合、画面上へエラーメッセージを表示し、再度の入力を促すようにする。
【００５８】
ステップＳ２では、初期画面Ｐ１の表示と端末の動作の選択がなされる。プログラマブルＤＳＰ２７は、ＲＡＭ２８上に図１３に示す初期画面Ｐ１のイメージを生成し、ビデオエンコーダ３５を介してモニタ１４に表示させることにより、カラオケ機能またはシール交換機能のどちらかの選択を利用者に促す。図１３において、１０１がカラオケ機能を選択する場合に押されるボタンであり、１０２がシール交換機能を選択する場合に押されるボタンである。
【００５９】
ステップＳ３において、ユーザによる入力装置１３を使用してカラオケ機能が選択された場合、カラオケモードに移行する。カラオケの処理は、既存の通信カラオケ端末における処理と同様であるので、その処理の説明は、省略する。シール交換機能が選択されると、画面Ｐ２の表示と選択の処理がなされる（ステップＳ４）。プログラマブルＤＳＰ２７は、図１４に示すような作成・表示用の画面Ｐ２のイメージをＲＡＭ２８上に生成し、ビデオエンコーダ３５を介してモニタ１４表示する。
【００６０】
画面Ｐ１上において、ボタン１０３は、自分の個人データを作成または更新する場合に押される。ボタン１０４は、自分のデータに対するメッセージ確認を行なう場合に押される。ボタン１０５は、シール交換サービスに登録された他の人の個人データの表示を行なう場合に押される。
【００６１】
入力装置１３によって、ボタン１０４または１０５が押された場合、すなわち、自分のデータに対してのメッセージ確認または他の人のシールデータの表示が選択された場合、後述する他の個人データ参照処理へ処理が移行する。但し、ステップＳ１のログイン画面において、自分のデータＩＤおよびパスワードが入力済みでなければ、自分のデータへの着信メッセージの確認は選択不可である。
【００６２】
ステップＳ５において自分の個人データの作成／更新（ボタン１０３）が選択されると、最初に個人データ中のシールデータの入力がなされる。その後、補助情報として音声データ・名前・星座・血液型・学年（職業）・定型メッセージ・付加データなどが入力される。シールデータの入力時には、画面Ｐ３が表示され、フレームの選択がなされる。図１５に示す画面Ｐ３のフレーム選択画面イメージを生成、表示する。
【００６３】
図１５では、画面Ｐ３上に３種類のフレーム１０６、１０７、１０８が表示される。この画面Ｐ３によって、これらのフレームの中で、シールに付加するフレームの選択を入力装置１３によって行なうように促す。図１５に示すフレームイメージは、一例であって、例えば衛星放送を使って配信することにより、季節や流行だけでなくその日だけ有用なフレームイメージを選択可能とすることができる。
【００６４】
次に、処理が図７のステップＳ７に移る。ここでは、図１６に示すシャッターモードの選択画面Ｐ４の表示がなされ、シャッターモードの選択が促される。画面Ｐ４上で、ボタン１０９は、シャッターボタンを押した直後に画像を取り込む場合に押され、ボタン１１０は、シャッターボタンを押してから一定の時間後（例えば５秒）に画像を取り込む場合（タイマーモードの場合）に押される。
【００６５】
ステップＳ８において、すぐに撮るのボタン１０９が選択されたかどうかが決定される。ボタン１０９が選択されたならば、ステップＳ１２に処理が移行する。一方、タイマーのボタン１１０が選択されたならば、ステップＳ９に処理が移行する。ステップＳ１２では、画面Ｐ５（図１７）が表示される。この画面Ｐ５は、カメラ１９で撮影した画像と選択したフレームとが合成されたものである。すなわち、カメラ１９使って撮影した静止映像をシリアルポートよりシリアルコントローラ２９を介してＲＡＭ２８へ取り込む。そして、ＲＡＭ２８に取り込んだ静止画イメージにフレームおよびメッセージをオーバーレイし、図１７に示す画面Ｐ５を生成し、ビデオエンコーダ３５を介して出力し、モニタ１４に表示する。
【００６６】
そして、モニタ１４で画面を確認しながら撮影ポーズを決定して、任意のタイミングでシャッターボタンを押す。ステップＳ１３では、入力装置１３からシャッターボタンの押下の通知待ちを行なう。ボタンが押されると、ステップＳ１４に移行する。ステップＳ１４では、カメラ１９で撮影した静止映像をシリアルポートよりシリアルコントローラ２９を使ってＲＡＭ２８に取り込むとともに、図１７の画面Ｐ５のオーバーレイ表示を終了する。
【００６７】
ステップＳ８において、タイマーモードが選択されると、図１８に示す画面Ｐ６のタイマー表示１１１を行なう。この場合、タイマーが設定した時間（この例では５秒）が視覚的にわかるように目盛表示を減らしていくなどの表示方法が使用される。また、タイミングが取りやすい１秒毎に”ピッ””ピッ”等の電子音を伴わせることも可能である。ステップＳ１０では、内蔵タイマーを参照して、タイマーイメージ１１１を生成表示しながら、５秒間待つ。５秒間が経過すると、ステップＳ１１において、カメラ１９使って撮影した静止映像をシリアルポートよりシリアルコントローラ２９を使ってＲＡＭ２８へ取り込む。
【００６８】
ＲＡＭ２８上に取り込んだ静止画イメージにフレームイメージをオーバーレイすると共に確認メッセージもオーバーレイし、ビデオエンコーダ３５を介してモニタ１４に図１９の画面Ｐ７を表示する。この画面Ｐ７を見てユーザが確認または取消しを行う。ステップＳ１６では、確認ボタンがおされたかどうかが決定される。確認ボタンが押されると、図８に示すステップＳ１７に処理が移行する。取消ボタンが押されると、ステップＳ７に戻り、再度撮影がなされる。このように、撮影した画像が気に入らない場合には再度撮影し直すことができる。
【００６９】
ステップＳ１７では、個人データの補助情報の一つである、音声メッセージの入力処理がなされる。この場合、図２０に示す音声メッセージ入力画面Ｐ８がモニタ１４により表示され、音声入力操作がなされる。画面Ｐ８上には、入力処理を容易とするために、音声レベルを明示するための表示１１２および記録開始のタイミングを明示するための表示１１３が提示される。これらの表示により、録音時間とのタイミングを合わせ、また、録音レベルを確認しながら、端末のマイクロホン１２を使用して音声入力がなされる。入力された音声メッセージは、フレームイメージ、静止画イメージデータと共に個人データ構成要素としてＲＡＭ２８上に記憶される。
【００７０】
次に、個人データの補助情報の一つである氏名の入力がなされる（ステップＳ１８）。図２１に示す名前データ入力画面Ｐ９を表示し、名前の入力を行う。入力方法の選択により、例えばソフトウェアキーボードによる入力の場合、図２１の画面Ｐ９を使用する。名前の入力は、画面上にソフトウエアキーボード１１４が表示され８〜１０文字程度までで入力する。使用可能な文字は、ひらがな・カタカナ・数字・アルファベット・いくつかの記号などである。
【００７１】
入力方法の他のものとして、ポケットベルのメッセージ入力のように数字で文字を入力する方法も可能とされている。他の方法では、図２２に示す入力画面Ｐ１０が表示され、数字と文字との対応を示すテーブル１１５が画面上に表示される。この場合に使用するキーは“0 ”〜“9 ”といくつかのアルファベットであり、二桁使用して上記の文字に割り当てる。このように入力されたテキスト文字列は、音声メッセージと同様に個人データ構成要素としてＲＡＭ２８に記憶される。
【００７２】
氏名の入力を確認すると、処理がステップＳ１９に移る。ステップＳ１９は、個人データを作成した者のプロフィールを補助情報として入力する処理である。ステップＳ１９では、図２３に示す入力画面Ｐ１１が表示される。この画面Ｐ１１から分かるように、星座・血液型・職業（学年）の各リストに関して、画面上に表示されるリストボックスを使用して選択的に入力することによって、プロフィールの入力がなされる。
【００７３】
すなわち、画面Ｐ１１に示されるように、各項目について、それぞれ予め用意された選択肢のなかから図２４に示す画面Ｐ１２のようにリストボックスを開いて選択させる。入力されたプロフィールデータは、個人データ構成要素としてＲＡＭ２８上に記憶される。プロフィールの入力を確認後に、処理がステップＳ２０に移る。
【００７４】
ステップＳ２０およびＳ２１では、補助情報の一つである、定型メッセージの入力がなされる。定型メッセージの入力は、シールデータ交換希望相手の条件等の入力に使用される。希望条件を入力する場合、最初に図２５に示す定型メッセージ選択画面Ｐ１３が表示されてジャンル選択を促し、入力装置１３の操作によって選択させる。（ステップＳ２０）。
【００７５】
次に、ステップＳ２１では、図２６に示す画面Ｐ１４、図２７に示す画面Ｐ１５および図２８に示す画面Ｐ１６が表示され、これらの画面を使ってシール交換を希望する相手情報を選択、設定させる。図示の例では、タイプ、エリア、職業（学年）、趣味等をリストボックスを使用して選択する。このようにして、個人データの定型メッセージを決定する。選択、設定された定型メッセージが個人データ構成要素としてＲＡＭ２８上に記憶される。
【００７６】
次のステップＳ２２では、付加データの入力がなされる。付加データは、シールデータの作成者のＰＲ情報を入力するのに使用される。ソフトウエアキーボードを利用して入力する。文字数は、例えば４０文字程度までで、名前と同様に使用可能な文字はひらがな・カタカナ・数字・アルファベット・アイコン・いくつかの記号などである。また、ソフトウエアキーボードではなく、図２９に示す画面Ｐ１７上に表示されるテーブルのように、数字を入力すると文字に変換する方式を使用しても良い。
【００７７】
そして、ステップＳ２３では、アニメーションアイコンの入力処理がなされる。図３０に示す画面Ｐ１８は、アニメーションアイコンの選択画面を示す。この例では、３種類のアニメーションアイコン１１６、１１７、１１８の内の一つを選択するようになされている。アニメーションアイコンは、個人データを作成した日からの経過日数を示すものである。アニメーションアイコンのイメージは、作成日から日が経過するのに伴って、日毎に大きくなったり、数が増えたりするするものである。アニメーションアイコンによって、個人データの有効日数、あと何日で個人データの有効期限が切れるかが分かる。個人データを更新すると、アイコンの数を増やすことによって、何回データの更新が行なわれたかを明示的に表すことができる。
【００７８】
ステップＳ２４では、図３１のレイアウト選択画面Ｐ１９を使用してレイアウトを選択し、また、図３２に示す確認画面Ｐ２０を使用して作成した個人データの確認がなされる。レイアウトはシールデータと補助情報を表示するためのレイアウトである。図３１では、３種類のレイアウト１１９、１２１、１２２が用意され、Ｌ／Ｒキーによってその内の一つを選択可能としている。レイアウトを選択した後、画面Ｐ２０によって確認を行い決定する。
【００７９】
以上のステップＳ１〜Ｓ２４により、設定され、ＲＡＭ２８上に記憶されているシールデータおよび補助情報（音声メッセージ、名前、プロフィール、定型メッセージ、相手情報、ＰＲ情報、アニメーションアイコン、レイアウト等）は、プログラマブルＤＳＰ２７の制御により、シリアルコントローラ２９およびモデム３２を用いて公衆電話回線網８網を介してサーバーに対して送信される（ステップＳ２５）。
【００８０】
ステップＳ２６において、サーバーは、上述した個人データの構成要素のデータを受け付け、そのデータが有効と判断すると、受け付けた個人データ構成要素に対してユニークなデータＩＤを発行すると同時にパスワードも発行する。さらに、個人データ構成要素のデータをデータＩＤおよびパスワードとともにデータベースに登録する。端末に対しては、データＩＤならびにパスワードを送信する。ステップＳ２７において、端末は、モデム３２、シリアルコントローラ２９を介してＩＤとパスワードを受信し、ＲＡＭ２８上に記憶される。
【００８１】
個人データは、プログラマブルＤＳＰ２７の制御により、ＲＡＭ２８上で１６分割のフレーム付きのイメージに加工される。分割イメージの中で、右下コーナーの位置のシールのみ、ステップＳ２６で受信したデータＩＤとパスワードのテキストイメージをオーバーレイする。シリアルコントローラ２９を使って、プリンタへ送信されたイメージは、図３３に示すプリント出力ＰＰ１およびその拡大図である図３４のプリント出力ＰＰ１で示すように、印刷される。図３４に示されるように、右下コーナー部のシールには、データＩＤおよびパスワードがオーバーレイされる。
【００８２】
各個人データに対して発行されるデータＩＤは、本システムの全利用者が知ることができ、個人データの検索、表示などに使用される。パスワードは、個人データ作成者のみが知ることができ、詳細情報の登録、メッセージの送信、メッセージの表示などに使用される。
【００８３】
個人データには、補助情報の他に、詳細情報を付加することが可能とされている。詳細情報は、フリーメッセージやイラストなどである。詳細情報を個人データに付加する方法として、指定の用紙にユーザがペンなどで書き、ＦＡＸやスキャナなどでこれを読み込む。ＦＡＸを用いる場合には、サーバーでこれを集中的に受信してオペレータ又は自動的にシールデータに付加し、スキャナを用いる場合には、端末が設置されている店のオペレータが操作を行ってシールデータに付加する。個人データに詳細情報を付加する際には、付加すべき個人データを指定するためにデータＩＤを利用し、また、詳細情報を付加することのできる個人データ作成者であることを示すためにパスワードを使用する。
【００８４】
次に、シールデータの交換処理について説明する。この交換処理は、個人データ交換希望者が個人データを交換する対象者（個人データ作成者）を選択する検索処理と、選択した個人データ作成者にメッセージを伝達する処理と、個人データ作成者が受け取った複数のメッセージを見て印刷許可を発行する処理と、その他の処理とからなる。シールデータの印刷の許可／不許可は、データＩＤ毎に管理される。また、メッセージのサービスを利用するためには、パスワードの入力が必要とされる。さらに、自分に来たメッセージを表示する場合も、データＩＤおよびハスワードの入力を必要とする。
【００８５】
最初に、図９および図１０のフローチャートと表示画面の図面とを参照して、個人データ交換希望者が行う他の人の個人データの検索、視聴、印刷処理について説明する。図９の最初のステップＳ３１では、図３５の画面Ｐ３１のイメージをＲＡＭ２８上に生成し、ビデオエンコーダ３５を介してモニタ１４により画面Ｐ３１を表示し、どのような目的ジャンルで情報を参照するのかの選択を個人データ交換希望者に促す。フローでは省略されているが、入力装置１３により戻るが指示された場合、もう一度前の画面へ戻る。
【００８６】
ステップＳ３１において目的ジャンルが選択されたら、次のステップＳ３２では、図３６の画面Ｐ３２のイメージを生成、表示し、検索条件をリストボックスを利用した表示を使って、個人データ交換希望者に入力を促す。ここでも、入力装置１３により戻るが指示されたら、ステップＳ３１のジャンル選択へ戻る。
【００８７】
目的ジャンルおよび検索条件が選ばれたら、シリアルポート、モデム３２、電話回線８を介して、サーバーに対して検索条件を送信する。サーバーから検索結果として、電話回線８、モデム３２、シリアルポートを介して、該当するデータＩＤ付き個人データ構成要素群を受信する。受信したデータ群は、指定された一覧表示形式か、指定されていなければデフォルトの値で、図３７に示す一覧画面Ｐ３３のイメージを生成し、ビデオエンコーダ３５を介してモニタ１４に表示することにより、利用者に選択操作を促す。ここでも、入力装置１３で戻るが操作されたら、検索条件の入力（Ｓ３２）へ戻る。
【００８８】
ステップＳ３４では、設定されている表示形式を変える操作要求の有無が決定される。表示形式を変える要求が入力装置１３により発生した時には、処理がステップＳ３５に移り、そうでなければ、ステップＳ３６に処理が移る。
【００８９】
ステップＳ３５では、図３８の画面Ｐ３４のイメージを生成し、モニタ１４に画面Ｐ１４が表示される。入力装置１３からの操作により表示項目を選択させ、選択された項目の一覧からなる表示形式が設定される。表示形式の選択、設定が終了すると、ステップＳ３３に戻る。
【００９０】
図３７の一覧画面Ｐ３３中には、音声メッセージを聞く時に選択されるボタン１２７およびページを見る時に選択されるボタン１２８が含まれる。ステップＳ３６では、メッセージを聞くボタン１２７の選択の有無が決定される。このボタン１２７が選択されると、ステップＳ３７において、該当するデータＩＤの音声メッセージデータをスピーカ１１より出力する。
【００９１】
ボタン１２７が選択されないと、ステップＳ３８において、ページを見るボタン１２８の選択の有無が決定される。このボタン１２８が選択されないと、ステップＳ３９のその他の処理に移行する。その他の処理では、スクロール処理、無効キー処理などを行なう。
【００９２】
ステップＳ３８において、ページを見るボタン１２８が選択されると、図１０のフローチャートのステップＳ４０に処理が移る。ステップＳ４０では、ページを見るボタン１２８で選択された個人データを使用して、レイアウトデータに従い図４３、図４４のような画面Ｐ３９、Ｐ４０のイメージをＲＡＭ２８上に生成し、モニタ１４により表示する。
【００９３】
画面Ｐ３９、Ｐ４０は、個人データ交換希望者が選択した個人データの表示例である。画面Ｐ３９とＰ４０とを比較すると分かるように、画面Ｐ４０には、印刷ボタン１２９が画面イメージ上のレイアウトで指定された位置（左上コーナー部）に表示されている。この印刷ボタン１２９が表示されていることは、個人データ交換希望者が選択した個人データを印刷可能なことを意味する。
【００９４】
すなわち、選択した個人データ中に付加されている印刷許可対象のＩＤの中に、現在操作を行なっている個人データ交換希望者がログイン時に入力したデータＩＤが存在すれば、印刷ボタン１２９のイメージを生成する。そうでなければ、印刷ボタン１２９のイメージが生成されない。印刷ボタン１２９がないと、この個人データの視聴は可能であるが、選択した個人データの印刷ができない。視聴のための補助的ボタンが画面Ｐ３９およびＰ４０のそれぞれに含まれている。すなわち、声を聞くボタン、大きく見るボタン、メッセージを送るボタン、詳しい情報のボタンが用意されている。
【００９５】
声を聞くボタンが入力装置１３により選択されたか否かがステップＳ４１で決定される。このボタンが選択されると、ステップＳ４２において、聞くボタンが入力装置により押下されたら、選択されている個人データ内の音声メッセージをスピーカー１１より出力し、ステップＳ４０へ戻る。
【００９６】
ステップＳ４１で声を聞くボタンが選択されないと、ステップＳ４３において、大きく見るボタンが入力装置１３により選択されたか否かが決定される。このボタンが入力装置により選択さると、ステップＳ４４では、個人データ内静止画イメージを拡大し、画面上に表示する。
【００９７】
ステップＳ４３で大きく見るボタンが選択されないと、ステップＳ４５において、メッセージを送るボタンが入力装置１３により選択されたか否かが決定される。このボタンが入力装置により選択さると、ステップＳ４６でメッセージを入力し、ステップＳ４７で入力したメッセージをサーバーに対して送信する。そして、ステップＳ４０に戻る。
【００９８】
ステップＳ４６においては、選択した個人データの作成者に対する文字メッセージが入力される。文字メッセージを入力する場合では、図３９に示す画面Ｐ３５の入力テーブルが表示される。ソフトウェアキーボードを使用して文字メッセージを入力しても良い。文字メッセージ以外に音声メッセージを入力することもできる。
【００９９】
メッセージの入力処理が終了すると、図４０に示すメッセージ入力確認画面Ｐ３５がモニタ１４により表示される。この画面Ｐ３５には、メッセージの送信相手（個人データ作成者）に対して、自分（個人データ交換希望者）の個人データの印刷許可を発行するかどうかを選択するボタン１２３、１２４が含まれる。印刷を許可する場合には、ボタン１２３が選択され、そうでない時には、ボタン１２４が選択される。このように印刷許可を発行することによって、特定のデータＩＤを持つ個人データ作成者に対してのみ個人データの印刷を与えることができる。
【０１００】
ステップＳ４７におけるメッセージの送信時では、シリアルポート、モデム３２、電話回線８を介して、選択した個人データ作成者のデータＩＤおよび自分のデータＩＤとパスワードと一緒に、入力したメッセージデータをサーバーに送信する。サーバーは、メッセージデータをメッセージ入力者（個人データ交換希望者）のＩＤ付きで送信すると同時に、相手に対しての印刷許可選択結果も送信する。さらに、印刷許可が発行されている場合は、個人データ交換希望者の個人データに印刷許可対象ＩＤとして、相手のデータＩＤを追加する。処理が終わったら、ステップＳ４０に戻る。
【０１０１】
ステップＳ４８においては、詳しい情報のボタンが選択されたか否かが決定される。このボタンが選択されると、ステップＳ４９において個人データに付随する詳しい情報が表示される。つまり、ＲＡＭ２８上のローカルの表示レイアウトデータの一部を変更し、付加情報（プロフィールやＰＲデータ等）を表示するようにレイアウトの設定を変更する。そして、ステップＳ４０に戻る。
【０１０２】
詳しいボタンが選択されないと、ステップＳ５０において印刷ボタン１２９が選択されたか否かが決定される。印刷ボタン１２９が選択されると、ステップＳ５１において、ＲＡＭ２８上に１６分割のシールイメージを展開して、シリアルコントローラ２９を使いシリアルポートを介してプリンタによりシールを印刷し、ステップＳ４０に戻る。
【０１０３】
印刷ボタンが選択されないときは、ステップＳ５２において、戻るキーが押下げされたかどうかが決定される。戻るキーが押されると、ステップＳ５３で、その他の処理、無効キーの処理等を行ない、ステップＳ４０へ戻る。
【０１０４】
次に、図６のステップＳ５で、自分のシールの作成／更新では無く、自分または他の人のシールの参照処理を行う場合について図１１のフローチャートを参照して説明する。図１１における最初のステップＳ６１では、自分のシールを見るかどうかが決定される。他の人のシールを見る場合では、既に図９および図１０を参照して説明したような処理がなされる。
【０１０５】
ステップＳ６１において自分のシールを見るが決定されると、ステップＳ６２では、ＲＡＭ２８上に図４１に示す画面Ｐ３７の形式で着信メッセージの一覧画面のイメージを作成し、モニタ１４上に表示する。モデム３２、公衆電話回線８を介してサーバーに対して、自分のデータＩＤを指定し、パスワードを付加した、着信メッセージの送信要求を送る。サーバーからは、送信要求があったデータＩＤに対して送信されているメッセージおよびそのメッセージを送信した相手（個人データ交換希望者）のデータＩＤが送信される。サーバーからのデータによって、画面Ｐ３７が表示される。メッセージの一覧画面Ｐ３７を表示する際には、音声メッセージ再生ボタン１４１、相手の個人データの試聴ボタン１４２および相手の自分に対する個人データ印刷許可のボタン１４３も表示される。
【０１０６】
ステップＳ６３では、音声メッセージの再生ボタン１４１が押されたかどうかが決定される。これが選択されると、ステップＳ６４において音声メッセージが再生され、処理がステップＳ６２に戻る。そうでないと、ステップＳ６５において、相手の個人データの試聴ボタン１４２が選択されたか否かが決定される。これが選択されると、ステップＳ６６において、相手の個人データの試聴処理がなされる。
【０１０７】
すなわち、シリアルポート、モデム３２、電話回線８を介して選択し、試聴を希望した相手の個人データをサーバーに対して要求する。サーバーから相手の個人データが送信されると、ＲＡＭ２８上に指定されたレイアウトに従って画面イメージを作成する。そして、ビデオエンコーダ３５を介してモニタ１４に表示する。図４３および図４４は、相手データの表示画面の例でもある。印刷ボタン１２９が表示されている場合は、相手がメッセージを送信する時に、既に印刷許可を発行していることを意味する。したがって、この相手の個人データの印刷が可能である。ステップＳ６６で相手データの試聴を行うとステップＳ６２に処理が戻る。
【０１０８】
ステップＳ６７では、印刷許可のボタン１４３が選択されたかどうかが決定される。上述したように、印刷許可ボタン１４３が選択されると、ステップＳ６８において、サーバーに対して印刷許可が送信される。サーバーは、メッセージを送信した相手のデータＩＤに対して印刷を許可するように、自分のデータＩＤの印刷許可対象ＩＤに相手のデータＩＤを付加する。そして、処理がステップＳ６２に戻る。
【０１０９】
ステップＳ６７において、印刷ボタン１４３が押されない時では、ステップＳ６９に移り、スクロールボタンが選択されたかどうかが決定される。スクロールボタンが選択されると、ステップＳ７０においてスクロール処理がなされる。それによって、着信メッセージの一覧画面がスクロールされる。そして、ステップＳ６２に処理が戻る。スクロールボタンが選択されない時も、ステップＳ６２に戻る。
【０１１０】
この発明の一実施形態では、端末を使用中、例えばカラオケ端末として使用している時でも、メッセージが到着したことをリアルタイムにユーザーに通知するようになされる。図４２に示すように、カラオケ用のモニタの画面上に、通知アイコンとメッセージの表示１２５が表示される。
【０１１１】
以上のようにして、個人データの入力、個人データの交換を行うことができる。次に、このようなシステム、あるいは端末の処理のいくつかのものについて、より詳細に説明することにする。
【０１１２】
最初に図４５のフローチャートを参照して、各端末において、個人データの補助情報である音声メッセージを入力する時、あるいは個人データ交換希望者が個人データ作成者に対して送信しようとする音声メッセージを入力する時の処理について説明する。この処理については、上述したように、図２０のモニタ１４の表示画面Ｐ８を参照して説明しているが、ここでは、より詳細な制御について説明する。すなわち、利用者が補助情報として音声データを登録する手法、録音開始時のタイミングを表示する方法、ならびに利用者の音声録音時に現在の録音のレベルの表示と、規定レベル以外であった場合の利用者に注意を促す手法について説明する。
【０１１３】
図４に示す構成の端末のプログラマブルＤＳＰ２７は、ハードディスク２６内のデータを用いて、ＲＡＭ２８内に音声メッセージ入力の説明表示を展開させ、画面データは、ビデオエンコーダ３５に送られる。プログラマブルＤＳＰ２７は、スイッチャ３６を用いて、ビデオエンコーダ３５からの入力が、外部のモニタ１４に出力されるようにする（ステップＳ７１）。次のステップＳ７２では、決定キーが押されるのを監視する。
【０１１４】
プログラマブルＤＳＰ２７は、利用者がシリアルコントローラ２９に接続されているコマンダー上の決定キーに対応するコードをシリアルコントローラ２９から検出したら、ステップＳ７３に処理を進める。なにもコードが検出されないか、決定ボタンのコード以外であれば、ステップＳ７２に戻る。ステップＳ７３では、予備時間中であることを表示する。
【０１１５】
プログラマブルＤＳＰ２７は、一定間隔のタイマーを使って、ＲＡＭ２８上に内部変数を作成し、タイマーのカウント毎に変数を１増加させる。この内部変数とハードディスク２６内のマイクのアイコンイメージデータを用いてＲＡＭ２８内に図２０で示される現在録音処理の準備中であるアニメーション画面１１３を展開させる。この際、アニメーションデータは、内部変数に対応した表示位置で展開され、画面データは、ビデオエンコーダ３５に送られて外部のモニタ１４に出力される。
【０１１６】
ステップＳ７４では、プログラマブルＤＳＰ２７がＡＤ／ＤＡコンバータ３８に対してＡＤ変換開始を指定する。ステップＳ７４の録音開始表示では、プログラマブルＤＳＰ２７は、ハードディスク２６内のデータを用いてＲＡＭ２８内に図２０で示される録音開始画面Ｐ８を展開させ、画面データがビデオエンコーダ３５に送られる。プログラマブルＤＳＰ２７は、マイク１２を介してスイッチャ３６から逐次送られてくる音声信号を、ＡＤ／ＤＡコンバータ３８でデジタル信号に変換されたものを受信し、ハードディスク２６上に逐次蓄積する。
【０１１７】
ステップＳ７５では、プログラマブルＤＳＰ２７がＡＤ／ＤＡコンバータ３８から現在の録音レベルの値を読み込み、その値とハードディスク２６内の画面表示用データを用いてＲＡＭ２８内へ図２０に示される現在の録音レベル表示画面を展開させる。この際、録音レベルの値に対応したレベルインジケータ１１２を展開し、画面データがビデオエンコーダ３５に送られる。
【０１１８】
ステップＳ７６では、録音時間が終了したかどうかが決定される。プログラマブルＤＳＰ２７は、内部のタイマーを用いて録音時間の総計を変数としてカウントする。この内部変数とハードディスク２６内のマイクのアイコンイメージデータを用いてＲＡＭ２８内に図２０で示される現在録音中であるマイクのアニメーション画面１１３を展開させる。この際、アニメーションデータは、この内部変数に対応した表示位置で展開され、画面データがビデオエンコーダ３５に送られて外部のモニタ１４に出力させる。この録音時間の変数が規定のカウンタ数を過ぎていれば、処理がステップＳ８１に移る。
【０１１９】
ステップＳ７６において、録音時間内と決定されると、ステップＳ７７において録音レベルが規定レベルより大かどうかが決定され、大でない場合では、ステップＳ７８において、録音レベルが規定レベルより小であるかどうかが決定される。つまり、プログラマブルＤＳＰ２７は、ＡＤ／ＤＡコンバータ３８から現在の録音レベルを読み出し、規定のレベルより大きい場合は、ハードディスク２６内のデータを用いて「声を小さくしてください」等の注意を促すメッセージを作成し、ＲＡＭ２８内に画面データを展開させ、画面データがビデオエンコーダ３５に送られる（ステップＳ７９）。そして、ステップＳ７５に戻る。
【０１２０】
ステップＳ７８において、プログラマブルＤＳＰ２７は、ＡＤ／ＤＡコンバータ３８から現在の録音レベルを読み出し、規定のレベルより小さい場合は、ハードディスク２６内のデータを用いて「声を大きくしてください」等の注意を促すメッセージを作成し、ＲＡＭ２８内に画面データを展開させ、画面データがビデオエンコーダ３５に送られる（ステップＳ８０）。そして、ステップＳ７５に戻る。
【０１２１】
ステップＳ７６において、録音時間が終了したと決定されると、ステップＳ８１では、録音終了の表示がなされる。プログラマブルＤＳＰ２７は、ＡＤ／ＤＡコンバータ３８に対してＡＤ変換処理終了の設定データを送り、ハードディスク２６内のデータを用いて「録音が終了しました」等の録音終了を知らせる画面データ作成し、ＲＡＭ２８内に画面データを展開させ、画面データがビデオエンコーダ３５に送られる。
【０１２２】
この発明の一実施形態では、前述の図２２に示す表示画面Ｐ１０を参照して説明したように、文字データの入力を２桁の数字の入力により行うことを可能としている。このような入力方法は、ポケットベルの場合の文字入力方法と同様のものである。この文字入力時の処理について、図４６のフローチャートを参照して説明する。
【０１２３】
ステップＳ９１では、図２２の表示画面Ｐ１０を表示する。この表示は、２桁の数字と文字との対応関係を示すテーブル（キー入力画面）である。プログラマブルＤＳＰ２７がＲＡＭ２８内に画面イメージを作成し、そのデータがビデオエンコーダ３５に出力される。プログラマブルＤＳＰ２７は、スイッチャ３６を切り替えて、ビデオエンコーダ３５からの入力が外部のモニタ１４に出力されるようにする。
【０１２４】
ステップＳ９２では、キー入力を待つ。プログラマブルＤＳＰ２７は、シリアルコントローラ２９経由でユーザからのキー入力があるのを待ち、キー入力があるとキーコードを受け取る。シリアルコントローラ２９は、外部の入力装置１３に接続される。ステップＳ９３では、入力されたキーが「数字キー」であるかどうかを判断する。プログラマブルＤＳＰ２７は、受け取ったキーコードからそれが「数字キー」であるかを判断し、数字キーと決定すると、入力されたキーが「１文字目」であるかどうかをプログラマブルＤＳＰ２７が判断する（ステップＳ９４）。
【０１２５】
そして、ステップＳ９５（文字を表示する）では、受け取ったキーコードが数字の２文字目であった場合、プログラマブルＤＳＰ２７は、キーコードと文字を対応させて、ＲＡＭ２８内に画面イメージを作成し、そのデータはビデオエンコーダ３５に出力される。プログラマブルＤＳＰ２７は、スイッチャ３６を切り替えて、ビデオエンコーダ３５からの入力が外部のモニタ１４に出力されるようにする。
【０１２６】
ステップＳ９３において、受け取ったキーコードが「数字キー」でない場合、プログラマブルＤＳＰ２７は、受け取ったキーコードが「おわりキー」であるかを判断する。「おわりキー」の場合では、処理が終了する。受け取ったキーコードが「数字キー」「おわりキー」以外であった場合、プログラマブルＤＳＰ２７は、受け取ったキーコードに応じた処理を行う（ステップＳ９７）。
【０１２７】
次に、この発明の一実施形態における個人データ交換の処理について詳細に説明する。上述したように、この発明の一実施形態では、個人データ交換希望者は個人データの作成者にメッセージを伝える際に、メッセージにくわえて希望者自身の個人データのデータＩＤを添付して送信する。この処理について図４７のフローチャートを参照して説明する。図４７は、個人データを交換しようとする利用者（個人データ交換希望者）側の端末の動作フローである。
【０１２８】
ステップＳ１０１では、個人データ表示用モニタ１４で図３７メッセージ表示画面Ｐ３３を見ながらあらかじめ登録されている個人データの個人データ作成者の中から個人データを交換しようとする対象者を特定する。
【０１２９】
ステップＳ１０２において、個人データを交換するために利用者は、図３９に示すメッセージ入力画面Ｐ３５を用い特定した対象者に対して、入力装置１３からキー入力を行い、プログラマブルＤＳＰ２７によりＲＡＭ２８上でメッセージを作成する。
【０１３０】
ステップ１０３において、ＲＡＭ２８上に作成されたメッセージは、図４０のようなメッセージ確認画面Ｐ３６を使い、入力装置１３からの入力終了のキー入力により、プログラマブルＤＳＰ２７により自動的にユーザーＩＤが付加される。
【０１３１】
ステップ１０４では、作成されたユーザーＩＤを付加されたメッセージをプログラマブルＤＳＰ２７がシリアルコントローラ２９を制御し、モデム３２で公衆電話回線８を介してサーバーに送る。また、サーバーからデータ送信センター１を介してメッセージが送信される。
【０１３２】
このように作成されたメッセージを受け取る個人データ作成者の端末では、図４８に示すフローチャートに示す処理がなされる。端末の受信アンテナ４およびＩＲＤ５により受信したデータは、データコンバータ２２により復号され、ハードディスク２６に記憶される。また、同時に、プログラマブルＤＳＰ２７で個人データの交換を希望する利用者からのメッセージであることを確認する（ステップＳ１０６）。
【０１３３】
プログラマブルＤＳＰ２７は、ハードディスク２６に格納したデータからメッセージの内容の表示イメージをＲＡＭ２８上に作成する。さらに、それをビデオエンコーダ３５、スイッチャ３６を経て外部にある個人データ表示モニタ１４に表示させる（ステップＳ１０７）。
【０１３４】
ステップＳ１０８では、利用者は、入力装置１３からのキー入力で、個人データの交換を希望する発信者の情報を見るかどうか判断する。見ないときは終了する。見るとステップＳ１０８で決定すると、プログラマブルＤＳＰ２７は、このキー入力を表示要求と確認し、ハードディスク２６内からユーザーＩＤをもとに発信者のデータを検索し、ＲＡＭ２８に表示用の画面イメージを作成し、ビデオエンコーダ３５にに出力する。更に、スイッチャ３６により外部の個人データ表示用モニタ１４に表示する。
【０１３５】
この発明の一実施形態では、図４２を参照して説明したように、個人データ作成者が端末を操作しているときに、例えば端末をカラオケ端末として使用している時に、その個人データ作成者へのメッセージがサーバーに保存された場合、メッセージが保存されたことをリアルタイムに個人データ作成者に知らせるようにしている。この場合の処理について、図４９を参照して説明する。
【０１３６】
図４９のステップＳ１１０では、シール交換希望者が入力したメッセージが公衆電話回線綱８を介してデータ送信センタ１にあるデータベースサーバーに届く。ステップＳ１１１では、データ送信センタ１から更新された情報がアップリンクセンタ２と衛星３使って配信される。
【０１３７】
ステップＳ１１２では、受信アンテナ４、ＩＲＤ５によって配信された更新されたデータを受信し、データコンバータ２２を介してハードディスク２６に格納する。ステップＳ１１３では、プログラマブルＤＳＰ２７がハードディスク２６に格納したデータの中に、端末を利用している利用者へのメッセージがあるか検索する。
【０１３８】
利用者へのメッセージがあったときは、プログラマブルＤＳＰ２７がＲＡＭ２８上に図４２のメッセージ到着画面の表示イメージ１２５を作る。さらに、その表示イメージをビデオエンコーダ３５、スイッチャ３６を介して個人データ表示モニタ１４に表示する（ステップＳ１１４）。
【０１３９】
上述したこの発明の一実施形態では、個人データ交換希望者が個人データ作成者に送信したメッセージを個人データ作成者の端末に表示させる際には、データＩＤとパスワードの入力を必要とさせている。この場合の処理を図５０のフローチャートを参照して説明する。
【０１４０】
最初のステップＳ１２１では、図５１で１３１のような表示がモニタ１４に生じ、メッセージを見たい時にデータＩＤとパスワードとが入力される。そして、ステップＳ１２２では、データＩＤとパスワードとが正しいかどうかがサーバーに問い合わされ、決定される。
【０１４１】
プログラマブルＤＳＰ２７は、メッセージが着信しているか否かをステップＳ１２３で判断し、着信しているメッセージがない場合には、処理が終了する。すなわち、受信アンテナ４、ＩＲＤ５でデータを受信し、データコンバータ２２を介してハードディスク２６に格納する。更に、プログラマブルＤＳＰ２７でハードディスク２６に格納したデータの中に、端末を利用している利用者へのメッセージがあるか検索する。メッセージがあれば、そのことを表示する。ステップＳ１２５では、図５１で１３２で示す表示がなされ、着信メッセージがあることと、利用者に見るか否かの選択を促す。
【０１４２】
メッセージを見ると決定した場合には、ステップＳ１２６において、メッセージの表示がなされる。図５１の表示１３３は、メッセージの表示の一例である。
【０１４３】
この発明の一実施形態では、個人データを交換しようとする利用者（個人データ交換希望者）が個人データ作成者の中から対象となるものを探すときに、情報の表示形式を選択できるようにされている。例えば表示形式として、補助情報のうち定型メッセージのみ／補助情報のうち定型メッセージと付加情報／シールデータのみ／シールデータと補助情報等を可能とする。この表示形式の選択について図５２のフローチャートを参照して説明する。このフローチャートは、メッセージを受け取る端末側での動作フローである。
【０１４４】
ステップＳ１３１では、ユーザの表示要求の有無が決定される。利用者は、あらかじめ登録されている別の利用者の情報を見たり検索するために、入力装置で表示要求のためのボタンを操作したり、キー入力する。この表示要求の入力は、シリアルコントローラを経てプログラマブルＤＳＰ２７に伝わる。プログラマブルＤＳＰ２７は、これを表示要求と確認し、ＲＡＭ２８内にデフォルトの表示用の画面イメージを作成する。これが８ビデオエンコーダ３５に出力され、更にビデオスイッチャ３６により個人データ表示用モニタ１４に、図２７のＰ３３のような既に登録されている利用者の情報表示画面を出す（ステップＳ１３２）。
【０１４５】
このデフォルトの表示以外の形式で利用者が情報を見たいときは、入力装置でボタンを操作したり、キー入力したりして表示の変更を選択する。そうでないときは、そのままの形式で情報をみるので終了する。表示形式の変更が選択されると、プログラマブルＤＳＰ２７がこの選択入力を表示画面の変更要求と確認し、ＲＡＭ２８内にデフォルトの表示用の画面イメージを作成し、ビデオエンコーダ３５に出力し、更にビデオスイッチャ３６によって、個人データ表示用モニタ１４に図３６に示すような項目選択の画面Ｐ３２を表示する。利用者は、この画面Ｐ３２を見てどのような形式で情報を見たいか、入力装置よりボタン操作したりキー入力で選択する（ステップＳ１３４）。
【０１４６】
ステップＳ１３５では、選択入力がシリアルコントローラ２９を経てプログラマブルＤＳＰ２７に伝わる。プログラマブルＤＳＰ２７は、選択された表示要求の項目により、ＲＡＭ２８内に指定された項目による表示用の画面イメージを作成し、モニタ１４に選択した形式の情報が表示される（ステップＳ１３５）。
【０１４７】
この発明の一実施形態では、前述の図３０に示す表示画面Ｐ１８を参照して説明したように、個人データの作成日から経過日数によって変化するアニメーションアイコンが使用される。すなわち、アニメーションアイコンにより、顔画像を含む個人データを利用者が閲覧する際、個人データの元データを作成した際の時間と、閲覧時の時間によって変化するアニメーションアイコンを顔画像とともに表示する。この処理について図５３を参照して説明する。
【０１４８】
ステップＳ２０１において、ユーザからの表示要求があると、プログラマブルＤＳＰ２７は、ハードディスク２６内のデータを用いてＲＡＭ２８内に顔画像データ閲覧選択画面を展開させ、画面データがビデオエンコーダ３５に送られる。プログラマブルＤＳＰ２７は、利用者がシリアルコントローラ２９に接続されているコマンダ１６上の閲覧選択ボタンに対応するコードをシリアルコントローラ２９から検出したら、ステップＳ２０２に処理を進める。なにもコードがないか、決定ボタンのコード以外であれば、処理がステップ２０１に戻る。
【０１４９】
ステップＳ２０２では、該当データＩＤのデータを得る。プログラマブルＤＳＰ２７は、利用者がステップ２０１にて選択したある顔画像データに対応したデータＩＤを元にして、ハードディスク２６内に顔画像データの存在する論理位置、例えばファイル名といったものを検索する。検索後、見つかった顔画像データをハードディスク２６より読み込み、ＲＡＭ２８に展開、保持する。
【０１５０】
ステップＳ２０３では、アニメーションパターンを得る。プログラマブルＤＳＰ２７は、ステップＳ２０２で得た顔画像データ内のデータ構造から、この顔画像データとともに利用されることになる複数のアニメーションパターンを指し示すパターンＩＤを得て、変数としてＲＡＭ２８に保持する。
【０１５１】
ステップＳ２０４では、個人データの作成日を得る。プログラマブルＤＳＰ２７は、ステップＳ２０２で得た顔画像データ内からこの顔画像データとともに利用される元データの作成日の情報を得て、この作成日を変数としてＲＡＭ２８に保持する。
【０１５２】
ステップ２０５では、現在日時を得る。プログラマブルＤＳＰ２７は、データコンバータに対して現在時間の情報が入っているＭＰＥＧ２／ＴＳ（トランスポートストリーム）を送信するように指定し、このＴＳ内の情報から現在時刻を得てＲＡＭ２８に保持する。
【０１５３】
ステップ２０６では、表示アニメーションデータを決定する。プログラマブルＤＳＰ２７は、ステップ２０４および２０５から得たデータ作成日と現時時刻から、日時の差分情報を得て、ステップ２０３で得たアニメーションの中から表示アニメーションデータを決定する。ＲＡＭ２８内にアニメーションデータを展開する。
【０１５４】
ステップ２０７では、アニメーションを表示する。プログラマブルＤＳＰ２７は、ステップ２０２でＲＡＭ２８内に展開した顔画像データをビデオエンコーダ３５に送信し、外部モニタ１４に表示させる。さらに、ステップ２０３で得たアニメーションデータを定期的にビデオエンコーダ３５に送信し、モニタ１４に対してアニメーションを表示させる。
【０１５５】
次に、図３０に示すような表示画面Ｐ１８のようなアニメーション選択処理の例から、顔画像を含むシールデータを利用者が作成する際、シールデータの元データを作成した際の時間と、閲覧時の時間によって変化するアニメーションアイコンを顔画像（シールデータ）とともに入力する手法について図５４のフローチャートを参照して説明する。
【０１５６】
ステップＳ２１１では、ユーザからの選択要求がなされる。プログラマブルＤＳＰ２７は、ハードディスク２６内のデータを用いてＲＡＭ２８内に図３０で示されるアニメーションアイコン選択画面Ｐ１８を展開させ、画面データがビデオエンコーダ３５に送られる。プログラマブルＤＳＰ２７は、利用者がシリアルコントローラ２９に接続されているコマンダ上のアニメーションアイコン選択ボタンに対応するコードをシリアルコントローラ２９から検出したら、ステップ２１２に処理を進める。なにもコードがないか、決定ボタンのコード以外であれば、ステップ２１１に戻る。
【０１５７】
ステップ２１２では、アニメーションパターンのＩＤを得る。ステップ２１１で選択したアニメーションパターンから、対応するパターンのＩＤを得てＲＡＭ２８内に保持する。
【０１５８】
ステップ２１３では、現在日時を得る。プログラマブルＤＳＰ２７は、ステップ２１２で得たＩＤが後日、顔画像データを閲覧する際のアニメーション表示の方法を決定するための情報として、データコンバータ２２に対して現在時間の情報が入っているＭＰＥＧ２／ＴＳを送信するように指定し、このＴＳ内の情報から現在時刻を得て変数としてＲＡＭ２８に保持する。
【０１５９】
ステップＳ２１４では、ＩＤを保存する。プログラマブルＤＳＰ２７は、ステップ２１２と２１３で得たそれぞれのＩＤをハードディスク２６に転送、記録する。
【０１６０】
この発明の一実施形態では、図３および図５を参照して説明したように、複数の端末をゲートウェイ５０によりまとめるようにしている。そして、ゲートウェイによって、一定周期毎に端末からの個人データ、補助情報、メッセージなどをまとめてサーバーに送信するようにしている。このような動作について説明する。最初に、図５５を参照してゲートウェイ側の動作、作用について説明する。
【０１６１】
最初のステップＳ１４１で、端末からのデータ入力を受ける。ＣＰＵ５５は、ネットワークＩ／Ｆ５７経由で端末からのデータを受信し、ＲＡＭ５６に格納する。
【０１６２】
ステップＳ１４２でデータの保存を行う。ＣＰＵ５５は、ＲＡＭ５６内のデータを、ハードディスク５４に書き込み、ハードディスク５４に格納されているデータのインデックスを更新する。
【０１６３】
ステップＳ１４３でデータＩＤとパスワードを出力する。ＣＰＵ５５は、データがハードディスクに正しく書き込まれたのを確認し、管理しているデータＩＤとパスワードのうち未使用のものを割り当てて、ネットワークＩ／Ｆ５７経由で端末に対して出力する。
【０１６４】
ステップ１４４でデータの経過時間を判断する。ＣＰＵ５５は、インデックスを検索して、ハードディスク５４内に保存されていてまだサーバーに送信されていないデータの中で最も古いものの経過時間を調べ、ある一定以上の時間が経っているかどうかを判断する。
【０１６５】
ステップＳ１４５でデータ量を判断する。ＣＰＵ５５は、インデックスを検索して、ハードディスク５４内に保存されていてまだサーバーに送信されていないデータ量を調べ、ある一定以上のデータ量に達しているかどうかを判断する。
【０１６６】
ステップＳ１４５で、データ量が一定量に達していると判断した時には、サーバーにデータを送信する（ステップＳ１４６）。ＣＰＵ５５は、モデム５９を使用して公衆回線網８を介してサーバーと接続し、ハードディスク５４に格納されているデータのうちサーバーに対して未送信のデータを、サーバーに対して送信する。
【０１６７】
図５６は、上述したゲートウェイ側の動作に対応する端末側の動作を示すフローチャートである。最初のステップＳ１５１でユーザーからのデータ入力を受ける。プログラマブルＤＳＰ２７は、シリアルコントローラ２９経由でユーザからのキー入力があるのを待ち、キー入力があるとキーコードを受け取る。受け取ったデータをＲＡＭ２８に保存する。
【０１６８】
ステップＳ１５２では、ゲートウェイ５０にデータを出力する。プログラマブルＤＳＰ２７は、ＲＡＭ２８内のデータを、ネットワークＩ／Ｆ経由でゲートウェイ５０に出力する。
【０１６９】
ステップＳ１５３では、データＩＤとパスワードをゲートウェイから受け取る。プログラマブルＤＳＰ２７は、ネットワークＩ／Ｆ経由でデータＩＤとパスワードを受信し、プリンタコントローラ３４を介してプリンタ１８にシールを出力する際に、データＩＤとパスワードを含めて印刷させる。
【０１７０】
上述したこの発明の一実施形態では、ゲートウェイに対してサーバーに保存された最新のデータを予め送信するようにできる。このような処理を行う時のサーバー側の動作を図５７のフローチャートを参照して説明する。また、これに対応する端末側の動作を図５８のフローチャートに示す。なお、この処理は、ゲートウェイを設けることを必ずしも必要とせず、端末とサーバーとの間の処理でも同様である。
【０１７１】
ステップＳ１６１において、端末またはゲートウェイからのデータ入力がなされる。図１に示すように、シール交換端末６から出力されたデータは、公衆電話回線網８を経由してインターネット接続業者９内の個人データサーバーに受信される。
【０１７２】
ステップＳ１６２において、インターネット接続業者９内の個人データサーバーは、受信したデータをチェックしてストレージに保存する。そして、ステップＳ１６３で、アップリンクセンタ２に出力する。インターネット接続業者９内の個人データサーバーは、専用回線を通じてデータ送信センタ１にデータを送信する。データ送信センタ１は、専用回線を通じて、放送（アップリンク）センタ２にデータを送信する。放送（アップリンク）センタ２は、衛星３を通じて端末側にデータを送信する。
【０１７３】
端末側では、図５８のフローチャートに示すように、ステップＳ１７１でＩＲＤ５からデータを受信する。端末のプログラマブルＤＳＰ２７は、データコンバータ経由でＭＰＥＧ２のＴＳを受信する。
【０１７４】
ステップＳ１７２では、受信したデータを保存する。プログラマブルＤＳＰ２７は、受信したデータに保存すべき個人データが含まれているかを判断し、含まれている場合にハードディスク２６に保存する。
【０１７５】
ステップＳ１７３でハードディスク２６の残量を判断する。プログラマブルＤＳＰ２７は、ハードディスク２６の残量を調べ、未使用領域がある一定以上あるかどうかを判断する。
【０１７６】
ステップＳ１７３で、ハードディスクの残り記憶容量が少ないと決定すると、ステップＳ１７４で最も不要なデータを削除する。プログラマブルＤＳＰ２７は、ハードディスク２６内のデータのうち、データ作成日時・アクセス回数などから最も不要なデータを判断し、ハードディスクの未使用領域がある一定以上になるように、データの削除を行う。
【０１７７】
上述したように、端末またはゲートウェイのハードディスクに最新の情報を保存する方法として、端末またはゲートウェイ毎に情報に対して重み付けを行い、優先順序を付けることが好ましい。データ受信時の端末側の動作のフローチャートを図５９に示し、データ要求時の端末側の動作のフローチャートを図６０に示す。
【０１７８】
図５９の最初のステップＳ１８１では、データを受信する。プログラマブルＤＳＰ２７は、データコンバータ経由でＭＰＥＧ２−ＴＳを受信する。そして、ステップＳ１８２では、地域コードが合っているか判断する。プログラマブルＤＳＰ２７は、受信したデータに例えば端末と同じまたは近隣地域など保存すべき地域コードが含まれているか判断する。
【０１７９】
地域コードが合っているときには、ステップＳ１８３で、その端末のデータ要求傾向に合っているか判断する。プログラマブルＤＳＰ２７は、受信したデータに例えば使用者の年齢層など保存すべき端末のデータ要求傾向に該当するかを判断する。
【０１８０】
ステップＳ１８４では、地域コードが合っており、且つ要求傾向に合っているデータを保存する。プログラマブルＤＳＰ２７は、個人データをハードディスク２６に保存する。
【０１８１】
次のステップＳ１８５では、ハードディスク２６の残量を判断する。プログラマブルＤＳＰ２７は、ハードディスク２６の残量を調べ、未使用領域がある一定以上あるかどうかを判断する。若し、ディスク残量が少ないならば、ステップＳ１８６で最も不要なデータを削除する。つまり、プログラマブルＤＳＰは、ハードディスク２６内のデータのうち、データ作成日時・アクセス回数などから最も不要なデータを判断し、ハードディスク２６の未使用領域がある一定以上になるように、データの削除を行う。
【０１８２】
図６０を参照してデータ要求時の処理について説明する。ステップＳ１９１でユーザからのデータ要求を受ける。プログラマブルＤＳＰ２７は、シリアルコントローラ２９の経由でユーザからのキー入力があるのを待ち、キー入力があるとキーコードを受け取る。各フィールドのデータを受け取り、ＲＡＭ２８に保存する。
【０１８３】
ステップＳ１９２で、データの要求傾向リストに保存する。プログラマブルＤＳＰ２７は、ユーザからのデータ要求条件をデータ要求傾向リストに保存する。そして、ステップＳ１９３で、ハードディスク２６に該当するデータの有無を判断する。
【０１８４】
該当するデータが無い場合では、ステップＳ１９４において、サーバーに接続する。プログラマブルＤＳＰ２７は、モデムを使用して公衆回線網を介してサーバーと接続する。そして、プログラマブルＤＳＰ２７は、モデムおよび公衆回線網を介してサーバーに対してデータの要求を行う（ステップＳ１９５）。そして、ステップＳ１９６において、プログラマブルＤＳＰ２７は、モデムおよび公衆回線網を介してサーバーからデータを受信する。
【０１８５】
ステップＳ１９３において、ハードディスク２６に保存されているデータ内にデータがある場合には、プログラマブルＤＳＰ２７は、ハードディスク２６に保存されている要求データを読み出す（ステップＳ１９７）。
【０１８６】
なお、この発明は、衛星ディジタル放送に限らず、地上波のディジタル放送を利用してデータを配信しても良い。また、シール交換端末とカラオケ端末とが複合されていることは必要ない。
【０１８７】
【発明の効果】
この発明によれば、顔画像データのような個人データを電子的に相互に交換することが可能となり、既存の印刷したシールを手渡したりする方法と比べれば、あるかに広い範囲にわたって、迅速にシール画像等の個人データを交換することが可能となる。また、個人データの配信にディジタル放送を利用することによって、大量の個人データを広い範囲に高速に配信することが可能となる。
【０１８８】
また、この発明では、データＩＤとパスワードを用いることによって、サービスの加入者のみが個人データを視聴でき、また、特定の相手にのみ個人データ（シールデータ）の印刷を許可することができる。
【０１８９】
さらに、ゲートウェイを設けて、複数の端末をまとめることによって、個々の端末のハードウエアの規模を少なくできる利点がある。
【図面の簡単な説明】
【図１】この発明の一実施形態のシステム全体の概略を示すブロック図である。
【図２】この発明の一実施形態における端末の概略を示すブロック図である。
【図３】この発明の一実施形態におけるゲートウェイを有する端末システムの概略を示すブロック図である。
【図４】この発明の一実施形態における端末の構成の一例を示すブロック図である。
【図５】この発明の一実施形態におけるゲートウェイの構成の一例を示すブロック図である。
【図６】この発明の一実施形態の処理を説明するためのフローチャートである。
【図７】この発明の一実施形態の処理を説明するためのフローチャートである。
【図８】この発明の一実施形態の処理を説明するためのフローチャートである。
【図９】この発明の一実施形態の処理を説明するためのフローチャートである。
【図１０】この発明の一実施形態の処理を説明するためのフローチャートである。
【図１１】この発明の一実施形態の処理を説明するためのフローチャートである。
【図１２】この発明の一実施形態における個人データの構成を示す略線図である。
【図１３】この発明の一実施形態の端末に設けられたモニタの画面表示の具体例を示す略線図である。
【図１４】この発明の一実施形態の端末に設けられたモニタの画面表示の具体例を示す略線図である。
【図１５】この発明の一実施形態の端末に設けられたモニタの画面表示の具体例を示す略線図である。
【図１６】この発明の一実施形態の端末に設けられたモニタの画面表示の具体例を示す略線図である。
【図１７】この発明の一実施形態の端末に設けられたモニタの画面表示の具体例を示す略線図である。
【図１８】この発明の一実施形態の端末に設けられたモニタの画面表示の具体例を示す略線図である。
【図１９】この発明の一実施形態の端末に設けられたモニタの画面表示の具体例を示す略線図である。
【図２０】この発明の一実施形態の端末に設けられたモニタの画面表示の具体例を示す略線図である。
【図２１】この発明の一実施形態の端末に設けられたモニタの画面表示の具体例を示す略線図である。
【図２２】この発明の一実施形態の端末に設けられたモニタの画面表示の具体例を示す略線図である。
【図２３】この発明の一実施形態の端末に設けられたモニタの画面表示の具体例を示す略線図である。
【図２４】この発明の一実施形態の端末に設けられたモニタの画面表示の具体例を示す略線図である。
【図２５】この発明の一実施形態の端末に設けられたモニタの画面表示の具体例を示す略線図である。
【図２６】この発明の一実施形態の端末に設けられたモニタの画面表示の具体例を示す略線図である。
【図２７】この発明の一実施形態の端末に設けられたモニタの画面表示の具体例を示す略線図である。
【図２８】この発明の一実施形態の端末に設けられたモニタの画面表示の具体例を示す略線図である。
【図２９】この発明の一実施形態の端末に設けられたモニタの画面表示の具体例を示す略線図である。
【図３０】この発明の一実施形態の端末に設けられたモニタの画面表示の具体例を示す略線図である。
【図３１】この発明の一実施形態の端末に設けられたモニタの画面表示の具体例を示す略線図である。
【図３２】この発明の一実施形態の端末に設けられたモニタの画面表示の具体例を示す略線図である。
【図３３】この発明の一実施形態の端末における印刷出力の具体例を示す略線図である。
【図３４】この発明の一実施形態の端末における印刷出力の具体例を一部拡大して示す略線図である。
【図３５】この発明の一実施形態の端末に設けられたモニタの画面表示の具体例を示す略線図である。
【図３６】この発明の一実施形態の端末に設けられたモニタの画面表示の具体例を示す略線図である。
【図３７】この発明の一実施形態の端末に設けられたモニタの画面表示の具体例を示す略線図である。
【図３８】この発明の一実施形態の端末に設けられたモニタの画面表示の具体例を示す略線図である。
【図３９】この発明の一実施形態の端末に設けられたモニタの画面表示の具体例を示す略線図である。
【図４０】この発明の一実施形態の端末に設けられたモニタの画面表示の具体例を示す略線図である。
【図４１】この発明の一実施形態の端末に設けられたモニタの画面表示の具体例を示す略線図である。
【図４２】この発明の一実施形態の端末に設けられたモニタの画面表示の具体例を示す略線図である。
【図４３】この発明の一実施形態の端末に設けられたモニタの画面表示の具体例を示す略線図である。
【図４４】この発明の一実施形態の端末に設けられたモニタの画面表示の具体例を示す略線図である。
【図４５】この発明の一実施形態の処理を説明するためのフローチャートである。
【図４６】この発明の一実施形態の処理を説明するためのフローチャートである。
【図４７】この発明の一実施形態の処理を説明するためのフローチャートである。
【図４８】この発明の一実施形態の処理を説明するためのフローチャートである。
【図４９】この発明の一実施形態の処理を説明するためのフローチャートである。
【図５０】この発明の一実施形態の処理を説明するためのフローチャートである。
【図５１】この発明の説明に用いるモニタ表示の例を示す略線図である。
【図５２】この発明の一実施形態の処理を説明するためのフローチャートである。
【図５３】この発明の一実施形態の処理を説明するためのフローチャートである。
【図５４】この発明の一実施形態の処理を説明するためのフローチャートである。
【図５５】この発明の一実施形態の処理を説明するためのフローチャートである。
【図５６】この発明の一実施形態の処理を説明するためのフローチャートである。
【図５７】この発明の一実施形態の処理を説明するためのフローチャートである。
【図５８】この発明の一実施形態の処理を説明するためのフローチャートである。
【図５９】この発明の一実施形態の処理を説明するためのフローチャートである。
【図６０】この発明の一実施形態の処理を説明するためのフローチャートである。
【符号の説明】
１・・・データ送信センタ、２・・・アップリンクセンタ、３・・・衛星、５・・・ＩＲＤ、６・・・シール交換端末、７・・・カラオケ端末、１３・・・入力装置、１４・・・個人データ表示用モニタ、１８・・・プリンタ、１９・・・カメラ、２２・・・データコンバータ、２６・・・ハードディスク、２７・・・プログラマブルＤＳＰ、２９・・・シリアルコントローラ、３２・・・モデム、３５・・・ビデオエンコーダ
【図１】
0004200531.tif 000002
【図２】
0004200531.tif 000003
【図３】
0004200531.tif 000004
【図４】
0004200531.tif 000005
【図５】
0004200531.tif 000006
【図６】
0004200531.tif 000007
【図７】
0004200531.tif 000008
【図８】
0004200531.tif 000009
【図９】
0004200531.tif 000010
【図１０】
0004200531.tif 000011
【図１１】
0004200531.tif 000012
【図１２】
0004200531.tif 000013
【図１３】
0004200531.tif 000014
【図１４】
0004200531.tif 000015
【図１５】
0004200531.tif 000016
【図１６】
0004200531.tif 000017
【図１７】
0004200531.tif 000018
【図１８】
0004200531.tif 000019
【図１９】
0004200531.tif 000020
【図２０】
0004200531.tif 000021
【図２１】
0004200531.tif 000022
【図２２】
0004200531.tif 000023
【図２３】
0004200531.tif 000024
【図２４】
0004200531.tif 000025
【図２５】
0004200531.tif 000026
【図２６】
0004200531.tif 000027
【図２７】
0004200531.tif 000028
【図２８】
0004200531.tif 000029
【図２９】
0004200531.tif 000030
【図３０】
0004200531.tif 000031
【図３１】
0004200531.tif 000032
【図３２】
0004200531.tif 000033
【図３３】
0004200531.tif 000034
【図３４】
0004200531.tif 000035
【図３５】
0004200531.tif 000036
【図３６】
0004200531.tif 000037
【図３７】
0004200531.tif 000038
【図３８】
0004200531.tif 000039
【図３９】
0004200531.tif 000040
【図４０】
0004200531.tif 000041
【図４１】
0004200531.tif 000042
【図４２】
0004200531.tif 000043
【図４３】
0004200531.tif 000044
【図４４】
0004200531.tif 000045
【図４５】
0004200531.tif 000046
【図４６】
0004200531.tif 000047
【図４７】
0004200531.tif 000048
【図４８】
0004200531.tif 000049
【図４９】
0004200531.tif 000050
【図５０】
0004200531.tif 000051
【図５１】
0004200531.tif 000052
【図５２】
0004200531.tif 000053
【図５３】
0004200531.tif 000054
【図５４】
0004200531.tif 000055
【図５５】
0004200531.tif 000056
【図５６】
0004200531.tif 000057
【図５７】
0004200531.tif 000058
【図５８】
0004200531.tif 000059
【図５９】
0004200531.tif 000060
【図６０】
0004200531.tif 000061